(57)【要約】【課題】宗教を問わず、一般家庭において簡便に使用することのできる遺骨スタンドを提供する。【解決手段】遺骨スタンド１０は、平板状の墓碑部材１１と、墓碑部材１１を起立状態に保持する保持手段である左右一対の台座１２，１３と、台座１２，１３の背面寄りの上面に設けられた遺骨収納手段である複数の凹状部１４と、を備えている。墓碑部材１１の正面には、墓誌的事項１６（故人の氏名、生年月日、本籍、没年などの各種個人情報をいい、宗教的事情に応じて戒名などを含む。）が表示されている。各凹状部１４には、故人の遺骨などが納められた遺骨収納容器１８が着脱可能に入れられ、凹状部１４の開口端に蓋１５が被せられている。墓碑部材１１及び台座１２，１３はいずれも天然の石材で形成されている。【選択図】図４
0003149136.tif 000002
【実用新案登録請求の範囲】
【請求項１】
墓誌的事項を表示する墓碑部材と、前記墓碑部材を起立状態に保持する保持手段と、前記保持手段に設けられた遺骨収納手段と、を備えたことを特徴とする納骨スタンド。
【請求項２】
前記保持手段を、互いに鏡面対称形状をなす一対の台座で構成した請求項１記載の納骨スタンド。
【請求項３】
前記遺骨収納手段として、遺骨収納容器が出し入れ可能な凹状部を前記台座に設けた請求項１または２記載の遺骨スタンド。
【請求項４】
前記墓碑部材が前記保持手段に着脱可能である請求項１〜３のいずれかに記載の遺骨スタンド。
【請求項５】
前記墓碑部及び前記台座を石材で形成した請求項１〜３のいずれかに記載の納骨スタンド。
【考案の詳細な説明】
【技術分野】
【０００１】
本考案は、一般住宅の室内などにおいて故人の遺骨などを祀るために使用される遺骨スタンドに関する。
【背景技術】
【０００２】
故人の遺骨などを祀る場所として、墓所あるいは納骨堂などが使用されてきたが、近年の核家族化の進行や土地価格の高騰などに伴い、新たな墓所などを購入したり、生家の墓所を維持管理したりすることが困難となっている。そこで、一般家庭の室内などにおいて故人の遺骨を祀ることのできる墓誌台位牌などが提案されている（例えば、特許文献１参照。）。
【０００３】
特許文献１記載の墓誌台位牌は、札板台と台座との間に設けられた墓誌台の内部に遺品などの収納スペースを設け、墓誌台各面を墓誌板とした構造であり、墓誌台位牌自体が墓の代用となるものである。この墓誌台位牌を自宅内に置いておけば、毎日の供養を容易に行うことができる。
【０００４】
【特許文献１】登録実用新案第３０２６０８６号公報
【考案の開示】
【考案が解決しようとする課題】
【０００５】
特許文献１記載の墓誌台位牌は仏教的な外観、構造であるため、設置場所が仏壇若しくはそれに類する場所に限られ、仏壇の無い家庭や他の宗教を信仰する家庭には不向きである。また、この墓誌台位牌は構造が複雑であるため、コストダウンが難しく、高価な墓所を購入するのが困難な人が簡単に手に入れることができない。
【０００６】
本考案が解決しようとする課題は、宗教を問わず、一般家庭において簡便に使用することのできる遺骨スタンドを提供することにある。
【課題を解決するための手段】
【０００７】
本考案の遺骨スタンドは、墓誌的事項を表示する墓碑部材と、前記墓碑部材を起立状態に保持する保持手段と、前記保持手段に設けられた遺骨収納手段と、を備えたことを特徴とする。ここで、墓誌的事項とは、故人の氏名、生年月日、本籍、没年などの各種個人情報をいい、宗教的事情に応じて戒名などを含めることができる。
【０００８】
このような構成とすれば、保持手段と墓碑部材とで構成された、宗教色の無い、簡素な構造となり、製造コストも掛からないため、宗教を問わず、一般家庭において簡便に使用することができる。
【０００９】
ここで、前記保持手段を、互いに鏡面対称形状をなす一対の台座で構成すれば、墓碑部材を確実に保持することができ、安定感も高まる。
【００１０】
また、前記遺骨収納手段として、遺骨収納容器が出し入れ可能な凹状部を前記台座に設ければ、遺骨を容易に収納することができる。
【００１１】
さらに、前記墓碑部材が前記保持手段に着脱可能であれば、必要に応じて分解、組み立てすることができようになるため、遺骨スタンドを移動させたり、収納したりする際に便利である。
【００１２】
前記墓碑部及び前記台座を石材で形成すれば、質感が高まり、経年劣化し難いので、耐久性も向上する。
【考案の効果】
【００１３】
本考案により、宗教を問わず、一般家庭において簡便に使用することのできる遺骨スタンドを提供することができる。
【考案を実施するための最良の形態】
【００１４】
以下、図面に基づいて、本考案の実施の形態について説明する。図１は本考案の実施の形態である遺骨スタンドを示す斜視図、図２は図１に示す遺骨スタンドの正面図、図３は図１に示す遺骨スタンドの平面図、図４は図１に示す遺骨スタンドの分解斜視図である。
【００１５】
図１〜３に示すように、本実施形態の遺骨スタンド１０は、平板状の墓碑部材１１と、墓碑部材１１を起立状態に保持する保持手段である左右一対の台座１２，１３と、台座１２，１３の背面寄りの上面に設けられた遺骨収納手段である複数の凹状部１４と、を備えている。墓碑部材１１の正面には、墓誌的事項１６（故人の氏名、生年月日、本籍、没年などの各種個人情報をいい、宗教的事情に応じて戒名などを含む。）が表示されている。各凹状部１４には、故人の遺骨などが納められた遺骨収納容器１８が着脱可能に入れられ、その上から蓋１５が被せられている。蓋１５は凹状部１４の開口端に着脱可能に嵌め込まれ、蓋１５の上面は台座１２，１３の上面と略同一平面をなしている。墓碑部材１１及び台座１２，１３はいずれも天然の石材で形成されている。
【００１６】
図１に示すように、遺骨スタンド１０は、台座１２，１３と墓碑部材１１とで構成された、宗教色の無い、簡素な構造であり、製造コストも掛からないため、宗教を問わず、一般家庭において簡便に使用することができる。
【００１７】
墓碑部材１１の保持手段は、互いに鏡面対称形状をなす左右一対の台座１２，１３で構成されているため、墓碑部材１１を確実に保持することができ、安定感も良好である。また、遺骨収納手段として、遺骨収納容器１８が出し入れ可能な複数の凹状部１４が台座１２，１３に設けられているため、故人の遺骨などを容易に収納することができる。複数の凹状部１４は、遺骨スタンド１０の正面側から見えない、台座１２，１３の背面寄りの上面に形成されているため、外観性が損なわれることもない。
【００１８】
さらに、図４に示すように、墓碑部材１１の下側の左右角隅部を、台座１２，１３に設けられた溝状の切欠部１７内に着脱可能に挿し込むことによって遺骨スタンド１０は組み立てられている。従って、遺骨スタンド１０を移動させたり、収納したりする際などに、必要に応じて分解、組み立てすることができ、便利である。
【００１９】
一方、墓碑部材１１及び台座１２，１３は経年劣化し難い天然の石材で形成されているため、質感が高く、耐久性も優れている。なお、墓碑部材１１及び台座１２，１３の材質は天然石材に限定するものではないので、その他の材料（セラミック、人工石材、合成樹脂、金属、木材など）で形成することもできる。また、墓碑部材１１及び台座１２，１３のサイズや形状なども限定しないので、使用条件、住宅事情や宗教的理由などに応じて、その他のサイズ、形状とすることができる。
【００２０】
次に、図５，図６に基づいて、本考案のその他の実施の形態について説明する。図５，図６は、本考案のその他の実施である遺骨スタンドを示す正面図である。
【００２１】
図５に示す遺骨スタンド２０は、円板形状の墓碑部材２１と、これを起立状態に保持する左右一対の台座２２，２３によって構成されている。また、図６に示す遺骨スタンド３０は、六角板形状の墓碑部材３１と、これを起立状態で保持する左右一対の台座３２，３３によって構成されている。前述したように、墓碑部材や台座の形状は限定しないので、図５，図６に示すような形状の墓碑部材２１，３１とすることもできる。
【産業上の利用可能性】
【００２２】
本考案の遺骨スタンドは、故人の遺骨などを祀る器具として、一般家庭において広く利用することができる。
【図面の簡単な説明】
【００２３】
【図１】本考案の実施の形態である遺骨スタンドを示す斜視図である。
【図２】図１に示す遺骨スタンドの正面図である。
【図３】図１に示す遺骨スタンドの平面図である。
【図４】図１に示す遺骨スタンドの分解斜視図である。
【図５】その他の実施の形態である遺骨スタンドを示す正面図である。
【図６】その他の実施の形態である遺骨スタンドを示す正面図である。
【符号の説明】
【００２４】
１０，２０，３０  遺骨スタンド
１１，２１，３１  墓碑部材
１２，１３，２２，２３，３２，３３  台座
１４  凹状部
１５  蓋
１６  墓誌的事項
１７  切欠部
１８  遺骨収納容器
【図１】
0003149136.tif 000003
【図２】
0003149136.tif 000004
【図３】
0003149136.tif 000005
【図４】
0003149136.tif 000006
【図５】
0003149136.tif 000007
【図６】
0003149136.tif 000008